(57)【要約】      （修正有）【課題】小スペースで効率良く収穫可能な容器を提供する。【解決手段】水耕栽培用容器は、長尺の底板体１１と底板体１１の幅方向端部の双方から上方へ伸びた側壁板１２を有する保水容器１と、側壁板１２から保水容器１の内側に突出した突出片２を有するものである。突出片２は、双方の側壁板１２の内側から突出され、底板体１１の底面と水平になるように保水容器１に取り付けられる。側壁板１２の上部には、突出片２の基端部２１を差し込み可能な凹部１３を設ける。【選択図】図１
2011041536.tif 000002
【特許請求の範囲】
【請求項１】
長尺の底板体と底板体の幅方向端部の双方から上方へ伸びた側壁板を有する保水容器と、側壁板から保水容器の内側に突出した突出片を有する水耕栽培用容器。
【請求項２】
突出片が、双方の側壁板の内側から突出され、底板体の底面と水平になるように保水容器に取り付けられている請求項１の水耕栽培用容器。
【請求項３】
側壁板の上部に突出片の基端部を差し込み可能な凹部を設けた請求項１又は２に記載の水耕栽培用容器。
【請求項４】
突出片が、側壁板の内側に沿う支持片を有する請求項１乃至３のいずれか一項に記載の水耕栽培用容器。
【請求項５】
保水容器及び突出片の色相Ｌ値が、７０以上である請求項１乃至３のいずれか一項記載の水耕栽培用容器。
【請求項６】
保水容器の縦断面形状が左右対称であり、底板体の底面の平らな部分が開口部の３分の１以上の面積を有する請求項１乃至４のいずれか一項記載の水耕栽培用容器。
【請求項７】
保水容器と突出片が一体成型品である請求項１乃至５のいずれか一項記載の水耕栽培用容器。
【発明の詳細な説明】
【技術分野】
【０００１】
本発明は、水耕栽培に用いる容器に関する。
【背景技術】
【０００２】
従来の水耕栽培容器としては、特許文献１及び２にあるように、雨樋を複数本並列に並べた保水容器に板状の培地パネルを供える構造やコンテナを上下に並べる方法が知られている。
【先行技術文献】
【特許文献】
【０００３】
【特許文献１】特開２００６−１９７８４３号公報
【特許文献２】特開２００２−２５３０５４号公報
【発明の開示】
【発明が解決しようとする課題】
【０００４】
本発明の植物栽培用容器は、従来の容器に比べ、小スペースで効率良く収穫可能なものである。
【課題を解決するための手段】
【０００５】
本発明は、長尺の底板体と底板体の幅方向端部の双方から上方へ伸びた側壁板を有する保水容器と、側壁板から保水容器の内側に突出した突出片を有する水耕栽培用容器である。
保水容器の両端は、水耕栽培時には、底板体と側壁板でできた空間の長手方向の両端で止水する止水板があり、常にその空間に水又は栄養剤入りの水溶液が満たされるものである。
【０００６】
突出片は、双方の側壁板の内側から突出され、底板体の底面と水平になるように保水容器に取り付けられているのが好ましい。
【０００７】
側壁板の上部は、突出片の基端部を差し込み可能な凹部を設けるのが好ましい。
【０００８】
突出片は、側壁板の内側に沿う支持片を有するのが好ましい。
【０００９】
保水容器及び突出片の色相Ｌ値は、７０以上であるのが好ましい。
【００１０】
保水容器の縦断面形状が左右対称であるのが好ましく、底板体の底面の平らな部分が開口部の３分の１以上の面積を有するのが好ましい。
【００１１】
保水容器と突出片は、一体成型品であるのが好ましい。
【発明を実施するための形態】
【００１２】
本発明を実施するための形態について、図１を参照しつつ、詳細に説明する。
本発明に係る水耕栽培用容器は、長尺の底板体１１と底板体１１の幅方向端部の双方から上方へ伸びた側壁板１２を有する保水容器１と、側壁板１２から保水容器１の内側に突出した突出片２を有するものである。図１の符号３は培地３である。この構成より、培地３を突出片２で安定的に保持している。培地３には、図示外の栽培対象である植物の種や苗が置かれる。
【００１３】
突出片２は、双方の側壁板１２の内側から突出され、底板体１１の底面と水平になるように保水容器１に取り付けられている。突出片２が底板体１１の底面と水平になるように保水容器１に取り付けられていることにより、培地３がより安定的に保持された。
【００１４】
側壁板１２の上部には、突出片２の基端部２１を差し込み可能な凹部１３を設ける。凹部１３を設け、この凹部１３基端部２１を差し込むことにより、突出片２は保水容器１に簡単に設置でき、設置後は培地３をより安定的に保持できた。
【００１５】
突出片２は、側壁板１２の内側に沿う支持片２２を有する。この支持片２２を設けることにより、培地３及び植物の種や苗が安定的に保持された。
【００１６】
図１には記載できなかったが、保水容器１及び突出片２の色相Ｌ値は、７０以上であり、更に好ましくは８０以上である。照明や太陽光で植物成長を促進させる水耕栽培の場合、色相Ｌ値が７０以上にすることにより光の反射率を高めることができ、これにより植物の成長促進効果をより高めることができる。
【００１７】
保水容器１の縦断面形状が左右対称であり、底板体１１の底面の平らな部分が開口部の３分の１以上の面積を有する。左右対称にすることにより、本発明である水耕栽培用容器を複数個配置して水耕栽培する際、配置方向に配慮せずに配置することができた。開口部の３分の１以上の面積を有することにより、保水容器１の保水容積をより多く確保すると共に、底面積を増やして置かれる床に安定固定させることができた。
【００１８】
図１では別体である保水容器１と突出片２は、一体成型品としても良い。一体に成型することにより、保水容器１と突出片２を組み合わせる作業をなくすことができる。
【００１９】
本発明に係る水耕栽培容器は、上述の構成により、小スペースでの水耕栽培が可能である。図２に示すように、この水耕栽培容器を複数個配置し、図２の矢印４の先端側の水耕栽培容器にある植物を先に成長させ、タイミングをずらして矢印４の基端側の水耕栽培容器にある植物を成長させることができる。植物が成長した後の収穫の際、矢印４の矢印側に培地だけを押し出し、他方端部より培地を取り上げることで効率よく植物を収穫できる。
【００２０】
保水容器と突出片は一体成型であり、取り外しができない構造でも問題ない。
【００２１】
保水容器の長さは特に制限はないが、大規模な水耕栽培の場合、施工面から１本あたりの長さは１ｍから４ｍが望ましく、継手を用いて無限に長くすることができる。
【００２２】
保水容器及び突出片の素材としては、液体の浸透がないものであればよく、合成樹脂、金属、コンクリートがあり、重量面から合成樹脂、特に熱可塑性樹脂が望ましい。熱可塑性樹脂としては塩化ビニル樹脂、ＡＳＡ（アクリロニトリル・スチレン・アクリレート）樹脂、ＡＢＳ（アクリロニトリル・ブタジエン・スチレン）樹脂、ＡＥＳ（アクリロニトリル・エチレン・スチレン）樹脂がある。
【実施例】
【００２３】
本発明に係る実施例について図１及び図２を用いて詳細に説明する。
図１の保水容器１は、電気化学工業株式会社製長さ１．８ｍの雨樋（型番ＤＫ１２０）２本を、図示外の継手で、長手方向に伸びるように接続したものである
【００２４】
突出片２は、独自に加工した塩化ビニル樹脂製である。
【００２５】
培地３は、高さ２０ｍｍ、幅１００ｍｍ長さ９００ｍｍのダウ加工株式会社製のスタイロフォーム（登録商標）を用いた。
【００２６】
栽培された際の植物の重さ分、保持できるか確認するため、培地３の上に、重さ３ｋｇ分の土を入れた長さ０．９ｍの袋（図示省略）を配置した。この袋を配置しても突出片２が垂れることなかった。
【００２７】
さらに、この袋を乗せた状態で培地３を図２の矢印４の方向に押し出せるか試験したが、人力で容易に押し出すことができた。
【図面の簡単な説明】
【００２８】
【図１】本発明の実施例の縦断面を示す模式図
【図２】本発明の実施例を示す模式図
【符号の説明】
【００２９】
１  保水容器
２  突出片
３  培地
【図１】
2011041536.tif 000003
【図２】
2011041536.tif 000004